(57)【要約】【課題】浴槽を設置後容易に浴室壁面へ確実に固定することにより、浴槽の容易な設置作業性と安全性と耐久性の向上を図る。【解決手段】上縁張り出し部を備えた浴槽８と、浴槽８に当接する浴室壁面１６を備え、前期上縁張り出し部１３下方に浴槽固定部材１４を固着し、上縁張り出し部１３の下方に対応する浴室壁面１６に壁面固定部材１７を固着し、浴槽固定部材１４と前記壁面固定部材１７を連結部材１９で連結することにより、浴槽８と浴室壁面１６を容易に固定することができる。【選択図】図２
2005111123.tif 000002
【特許請求の範囲】
【請求項１】
上縁張り出し部を備えた浴槽と、前記浴槽に当接する浴室壁面を備え、前記上縁張り出し部下方に１個もしくは複数個の浴槽固定部材を固着し、前記上縁張り出し部の下方に対応する浴室壁面に１個もしくは複数個の壁面固定部材を固着し、前記浴槽固定部材と前記壁面固定部材を連結する連結部材を備えた浴槽固定装置。
【請求項２】
前記連結部材は略水平方向に移動することにより、浴槽固定部材と壁面固定部材を連結する構成の請求項１に記載の浴槽固定装置。
【請求項３】
前記浴槽固定部材には略水平方向の浴槽連結開口部を備え、前期壁面固定部材は略水平方向の壁面連結開口部を備え、前記連結部材は浴槽連結開口部と壁面連結開口部に挿入可能な略棒状の構成である請求項２に記載の浴槽固定装置。
【請求項４】
壁面固定部材より浴槽固定部材を若干高い位置に配設し、連結部材の先端にテーパ部を設け、前記テーパ−部と浴槽固定部材の浴槽固定開口部が当接する構成の請求項３に記載の浴槽固定装置。
【請求項５】
前記連結部材を壁面固定部材あるいは浴室壁面に固定する固定手段を備えた請求項１〜４に記載の浴槽固定装置。
【発明の詳細な説明】
【技術分野】
【０００１】
本発明は浴室に設置する浴槽の固定方法に関する。
【背景技術】
【０００２】
従来、この種の浴槽固定装置は、浴槽の両側面フランジ部を浴室の両側壁に各々ねじ固定し、浴槽の奥側フランジ部に係止片を設け、係止片を浴室の奥内壁に設けた系止受部に係止して浴槽を固定している（例えば、特許文献１参照）。
【０００３】
図５と図６は、前記公報に記載された従来の浴槽固定装置示すものである。  図５において、浴槽１と、浴槽の側面フランジ部２と、浴室の側壁３と、浴槽の奥側フランジ４と、係止片５と、浴室の奥内壁６と、係止受部７から構成され、図６において、係止片５と係止受部７を嵌合して固定する構成としている。
【特許文献１】実開平６-１３６７５号公報
【発明の開示】
【発明が解決しようとする課題】
【０００４】
しかしながら、前記従来の構成では、浴槽奥側フランジに取り付けた係止片と、浴室奥内壁に設けた係止受部を嵌合させて浴槽を浴室壁面に固定し、特に浴槽の奥を浮き上がらないように固定する構成なので、浴室ユニットの場合、壁面を建てつけた後、浴槽を設置する時あらかじめ取り付けた係止片と係止受部が干渉して浴槽を容易に設置できないという課題があった。また、係止部と係止受部の取り付け位置のばらつきや、浴槽の高さのばらつきにより、係止部と係止受部間に隙間が生じ確実な嵌合ができず、浴槽が動いたり、浮き上がったりして不安定で使用上不安感があるという課題も有していた。
【０００５】
本発明は、前記従来の課題を解決するもので、浴槽を浴室壁面へ確実に固定することにより、浴槽の安全性と耐久性の向上を図る。とした浴槽固定装置を提供することを目的とする。
【課題を解決するための手段】
【０００６】
前記従来の課題を解決するために、本発明の浴槽固定装置は、上縁張り出し部を備えた浴槽と、前記浴槽に当接する浴室壁面を備え、前期上縁張り出し部下方に１個もしくは複数個の浴槽固定部材を固着し、前記上縁張り出し部の下方に対応する浴室壁面に１個もしくは複数個の壁面固定部材を固着し、前記浴槽固定部材と前記壁面固定部材を連結する連結部材を備えたものである。
【０００７】
これによって、浴槽固定部材と壁面固定部材をあらかじめ浴槽と浴室壁面に固着し、浴槽を所定位置に設置後連結部材で浴槽と浴室壁面を容易に固定することができる。
【発明の効果】
【０００８】
本発明の浴槽固定装置によれば、浴槽固定部材と壁面固定部材は浴槽設置前にあらかじめ取付けているため、浴槽の張り出し部下方の狭い空間でも、浴槽を容易に、また確実に固定することができるため、浴槽の設置が短時間に容易に行うことができる。
【発明を実施するための最良の形態】
【０００９】
第１の発明は、上縁張り出し部を備えた浴槽と、前記浴槽に当接する浴室壁面を備え、前期上縁張り出し部下方に１個もしくは複数個の浴槽固定部材を固着し、前記上縁張り出し部の下方に対応する浴室壁面に１個もしくは複数個の壁面固定部材を固着し、前記浴槽固定部材と前記壁面固定部材を連結する連結部材を備えることにより、浴槽固定部材と壁面固定部材をあらかじめ浴槽と浴室壁面に固着し、浴槽を所定位置に設置後連結部材で浴槽と浴室壁面を固定することとなり浴槽固定部材と壁面固定部材は浴槽設置前にあらかじめ取付けているため、浴槽の張り出し部下方の狭い空間でも、浴槽を容易にかつ確実に固定することができる。
【００１０】
第２の発明は、特に、第1の発明の連結部材を略水平方向に移動することにより、浴槽固定部材と壁面固定部材を連結する構成の浴槽固定装置とすることにより、連結部材を略水平方向に移動させて浴槽と浴室壁面の連結ができる。となり浴槽の張り出し部の開放面から、連結部材を浴槽固定部材と壁面固定部材に容易に連結することができる。
【００１１】
第３の発明は、特に、第２の発明の浴槽固定部材には略水平方向の浴槽連結開口部を備え、壁面固定部材は略水平方向の壁面連結開口部を備え、連結部材は浴槽連結開口部と壁面連結開口部に挿入可能な略棒状の構成である浴槽固定装置とすることにより、浴槽連結開口部と壁面連結開口部に連結部材を挿入することにより浴槽が固定できるので連結部材の長さを長くすることにより、洗い場側より、奥の方に設置した浴槽固定部材と壁面固定部材の連結を容易に行うことができる。
【００１２】
第４の発明は、特に、第３の発明の壁面固定部材より浴槽固定部材を若干高い位置に配設し、連結部材の先端にテーパ部を設け、前記テーパ−部と浴槽固定部材の浴槽固定開口部が当接する構成の浴槽固定装置とすることにより、浴槽固定部材は連結部材のテーパ部に当接した状態で固定されるため、浴槽の設置高さにばらつきがある場合でも、必ず連結部材は浴槽固定部材に当接し隙間がない状態で固定され、浴槽を確実に固定することができる。
【００１３】
第５の発明は、第１〜４のいずれか1つの発明の連結部材を壁面固定部材あるいは浴室壁面に固定する固定手段を備えた浴槽固定装置とすることにより、連結部材は固定手段を介して壁面固定部材あるいは浴室壁面に固定することができ、浴槽設置後に連結部材が外れることがなく、浴槽を安定して使用することができる。
【００１４】
以下本発明の実施の形態について、図面を参照しながら説明する。なお、この実施の形態によって本発明が限定されるものではない。
【００１５】
（実施の形態１）
図１は、本発明の浴槽固定装置を設置した浴室ユニットの断面図を示し、図２は浴槽固定装置の斜視図を示すものであり、図３は浴槽固定装置の浴槽を設置して、固定前の状態を示す部分斜視図であり、図4は連結部材と浴槽固定部材とを固定した状態を示す斜視図である。
【００１６】
図１に示すように、浴槽８はステップ部９を洗い場１０側に張り出すように設けられ、ステップ部９は支え部１１にて床部１２に設置する構成としている。
【００１７】
図２に示すように、浴槽８の上縁張り出し部１３の下面に浴槽固定部材１４を固着して設けてあり、浴槽連結開口部１５を水平方向に形成している。また、浴槽上縁張り出し部１３の下方に位置する浴室壁面１６に２個の壁面固定部材１７を間隔を空けて水平方向に並べて固着して設けてある、を前記浴槽連結開口部１５と同方向の水平方向に形成しており、前記浴槽連結開口１５は前記壁面連結開口部１８より若干高い位置になるように設定されている。
【００１８】
図３に示すように棒状の連結部材１９は先端部にテーパー部２０を備えており、洗い場側より水平に壁面連結開口部１８挿通して浴槽連結開口部１５に挿入され、前記テーパー部２０が浴槽連結開口部１５に当接した状態で固定位置となる。
【００１９】
連結部材１９を固定位置に挿入後、図４に示すように連結部材１９は浴槽固定部材１４とねじ２１にて固定している。
【００２０】
なお、本実施の形態では、浴室壁面１６と浴槽固定部材１４との間で浴槽連結開口部１５を、浴室壁面１６と壁面固定部材１７との間で壁面連結開口部１８を形成しているが、浴槽固定部材１４及び壁面固定部材１７にそれぞれ穴形状を設けて、浴槽連結開口部及び壁面連結開口部を形成してもよい。
【００２１】
また、本実施の形態では、連結部材１９と浴槽固定部材１４とはねじ２１で水平方向に固定しているが、作業性により、浴槽固部材の下方からでもよい。また、浴室壁面１６に直接固定してもよい。
【００２２】
以上のように構成された浴槽固定装置について、以下その動作、作用を説明する。
【００２３】
まず、浴槽固定部材と壁面固定部材をあらかじめ浴槽と浴室壁面の所定位置に固着し、浴槽を所定の位置に設置後、連結部材を洗い場側より水平方向に移動させて壁面連結開口部と浴槽連結開口部に挿入して固定することにより、浴槽と浴室壁面を所定位置に固定することができる。
【００２４】
特に、連結部材の長さを長くすることにより、浴槽の奥の方に設置した浴槽固定部材と壁面固定部材とを連結することができ、浴槽が洗い場側に張り出した奥行きの深い浴槽の場合でも、洗い場側から確実に、かつ容易に浴槽を固定することができる。
【００２５】
そして、浴槽固定部材を壁面固定部材より若干高い位置になるよう設けると共に、連結部材の先端にテーパー部を設け、浴槽固定部材に当接して固定するため、浴槽の設置高さにばらつきがあっても必ず、連結部材は浴槽固定部材に当接し、隙間がない状態で浴槽が固定されため、確実な固定ができる。
【００２６】
そして、連結部材は浴槽固定後、浴槽固定部材あるいは、浴室壁面に固定している。
【産業上の利用可能性】
【００２７】
以上のように、本発明にかかる浴槽固定装置は、浴槽の設置を容易に確実に行うものであるにで、バスユニット、在来工法の浴室の施工の用途に適用できる。
【図面の簡単な説明】
【００２８】
【図１】本発明の実施の形態１における浴槽固定装置の浴槽設置状態の浴室ユニットの断面図
【図２】本発明の実施の形態１における浴槽固定装置の斜視図
【図３】本発明の実施の形態１における浴槽固定前を表す部分斜視図
【図４】本発明の実施の形態１における部分斜視図
【図５】従来の浴槽固定装置の平面図
【図６】従来の浴槽固定装置の部分断面図
【符号の説明】
【００２９】
８  浴槽
１３  上縁張り出し部
１４  浴槽固定部材
１５  浴槽連結開口部
１６  浴室壁面
１７  壁面固定部材
１８  壁面連結開口部
１９  連結部材
２０  テーパー部
【図１】
2005111123.tif 000003
【図２】
2005111123.tif 000004
【図３】
2005111123.tif 000005
【図４】
2005111123.tif 000006
【図５】
2005111123.tif 000007
【図６】
2005111123.tif 000008